(57)【要約】【課題】狭いスペースに載置可能な縦型の容器であっても、使用開始時における最初のティッシュをスリットに容易に通すことができ、さらに、順次、容易にティッシュを取り出すことができるティッシュ容器を提供する。【解決手段】全体が縦型で、複数枚のティッシュを内側に収容可能であり、収容されたティッシュを通過させるスリット３７が形成された取出し口部２０を有するティッシュ容器において、取出し口部２０は、内側に向かって凸となって、スリット３７が配置された窪み部３９を有しており、窪み部３９は、可撓性を有すると共に、ティッシュがスリット３７を通過する際に、外側に向かって全体が凸とならないように弾性力を発揮する。【選択図】図１０
2013249114.tif 000002
【特許請求の範囲】
【請求項１】
全体が縦型で、複数枚のティッシュを内側に収容可能であり、前記収容された前記ティッシュを通過させるスリットが形成された取出し口部を有するティッシュ容器において、
前記取出し口部は、前記内側に向かって凸となって、前記スリットが配置された窪み部を有しており、
前記窪み部は、可撓性を有すると共に、前記ティッシュが前記スリットを通過する際に、前記ティッシュ容器外側に向かって全体が凸とならないように弾性力を発揮する
ことを特徴とするティッシュ容器。
【発明の詳細な説明】
【技術分野】
【０００１】
本発明は、詰め替え可能なティッシュ容器に関する。
【背景技術】
【０００２】
従来のティッシュ容器は、互いに係わり合った複数枚のティッシュを収容し、取出し口部に設けられたスリットを利用して、一枚引き抜く毎に、次のティッシュの頭だけを取出し口部から露出させて、順次、容易にティッシュを引き抜くようになっている。
このティッシュ容器は、最初に又は詰め替えて使用を開始する使用開始時では、手でスリットを広げて、そこに最初の一枚目のティッシュを通す必要がある。この際、載置するスペースを小さくするための縦型の容器では、小さな上面に大きなスリットを形成することが困難であり、特に、ウエットティッシュの場合は、アルコールの揮発を考慮して、スリットを小さくせざるを得ない。
このため、縦型の容器では最初のティッシュをスリットに通すのが困難であることから、使用開始時の最初のティッシュをスリットに通し易いように工夫した容器もある（特許文献１参照）。
特許文献１の容器は、取出し口部が着脱可能となっており、スリットが取出し口部の外周側面から中央部に至るまで設けられている。このようにすれば、最初の一枚目のティッシュをスリットに入れる際は、取出し口部を容器から外し、スリットを広げてそこに最初のティッシュを容易に入れることができる。そして、取出し口部を容器に装着すればスリットの隙間は元通りに狭まるため、その後、順次、ティッシュを引き抜くことができる。
【先行技術文献】
【特許文献】
【０００３】
【特許文献１】特許第４８６７５４７号公報
【発明の開示】
【発明が解決しようとする課題】
【０００４】
ところが、特許文献１のような容器であると、外周側面までスリットが形成されているため、容器本体に取出し口部を確実に装着し難く、この装着が不十分であると、ティッシュを引き抜く際に、スリットの幅が広がり過ぎて、次に続くティッシュが共に取り出されてしまう場合がある。
本発明は、狭いスペースに載置可能な縦型の容器であっても、使用開始時における最初のティッシュをスリットに容易に通すことができ、さらに、順次、容易にティッシュを取り出すことができるティッシュ容器を提供することを目的とする。
【課題を解決するための手段】
【０００５】
上記目的は、全体が縦型で、複数枚のティッシュを内側に収容可能とされており、前記収容された前記ティッシュを通過させるスリットが形成された取出し口部を有するティッシュ容器において、前記取出し口部は、前記内側に向かって凸となって、前記スリットが配置された窪み部を有しており、前記窪み部は、可撓性を有すると共に、前記ティッシュが前記スリットを通過する際に、前記ティッシュ容器外側に向かって全体が凸とならないように弾性力を発揮するティッシュ容器により達成される。
【０００６】
従来の縦型の容器は、ティッシュを通過させるスリットを大きくすることができず、このため、ティッシュを容器本体に入れて使用を開始する際、スリットに最初の一枚目のティッシュを通し難くなってしまう。しかし、上記構成によれば、取出し口部は可撓性を有するため、取出し口部を押すなどしてスリットを広げて、そこにティッシュを容易に通す
ことができる。
しかも、このスリットは、内側に向かって凸となる窪み部に配置されている。そうすると、スリットからティッシュを引き抜く際、窪み部はその可撓性によって、内側とは反対側に向かって変位する。このとき、スリットの幅が狭くなって、ティッシュにかかる摩擦力が大きくなり、次に続くティッシュが共に取り出されるような事態を防止できる。
さらに、この窪み部は、ティッシュがスリットを通過する際に、外側に向かって全体が凸とならないように弾性力を発揮する。したがって、この弾性力は、引き抜かれようとするティッシュを内側に引き戻す方向に働き、次に続くティッシュとの切れ性を向上させることができる。しかも、窪み部全体が外側に向かって凸状になる捲れた状態になると、スリットの幅が広がって切れ性の悪化を招いてしまうが、弾性力によって、そのような捲れ状態を防止することができる。
【発明の効果】
【０００７】
かくして、本発明によれば、狭いスペースに載置可能な縦型の容器であっても、使用開始時における最初のティッシュをスリットに容易に通すことができ、さらに、順次、容易にティッシュを取り出すことができるティッシュ容器を提供することができる。
【図面の簡単な説明】
【０００８】
【図１】本発明の実施形態に係るティッシュ容器の正面図。
【図２】図１のティッシュ容器の平面図。
【図３】図１のティッシュ容器の底面図。
【図４】図１のティッシュ容器の右側面図。
【図５】図１のティッシュ容器の左側面図。
【図６】図２のＡ−Ａ断面図。
【図７】図１のティッシュ容器の右側面及び平面側から見た斜視図。
【図８】図１のティッシュ容器の左側面及び平面側から見た斜視図。
【図９】図１のティッシュ容器の外蓋を開けた状態の斜視図。
【図１０】図６のＢ−Ｂ，Ｃ−Ｃ部分の拡大図。
【図１１】図１のティッシュ容器の使用状態を示す図。
【図１２】図１のティッシュ容器の第一の変形例にかかる正面図。
【図１３】図１２のティッシュ容器の右側面図。
【図１４】図１２のティッシュ容器の左側面図。
【図１５】図１２のティッシュ容器の平面図。
【図１６】図１２のティッシュ容器の底面図。
【図１７】図１２のティッシュ容器の右側面及び平面側から見た斜視図。
【図１８】図１２のティッシュ容器の左側面及び平面側から見た斜視図。
【図１９】図１２のティッシュ容器の外蓋を開けた状態の斜視図。
【図２０】図１２のティッシュ容器の外蓋を開けた状態の平面図。
【図２１】図１のティッシュ容器の第二の変形例にかかる正面図。
【図２２】図２１のティッシュ容器の右側面図。
【図２３】図２１のティッシュ容器の左側面図。
【図２４】図２１のティッシュ容器の平面図。
【図２５】図２１のティッシュ容器の底面図。
【図２６】図２１のティッシュ容器の右側面及び平面側から見た斜視図。
【図２７】図２１のティッシュ容器の左側面及び平面側から見た斜視図。
【図２８】図２１のティッシュ容器の外蓋を開けた状態の斜視図。
【図２９】図２１のティッシュ容器の外蓋を開けた状態の平面図。
【発明を実施するための形態】
【０００９】
以下に、本発明の好ましい実施形態を、図面を参照して詳しく説明する。
図１乃至図９は本発明の実施形態に係るティッシュ容器１である。なお、本実施形態のティッシュ容器１の背面は図１のティッシュ容器１の正面と対称である。
ティッシュ容器１は、ティッシュ（ティッシュペーパーとも言う）、特にウエットティッシュを収容するのに適している。この収容されるティッシュは、本実施形態の場合、ロール紙に切れ目がついたロール状のティッシュであるが、本発明はこれに限られず、複数枚が互いに係り合って、使用者が任意の枚数（通常は１枚）を引き抜いた際に、次に引き抜かれるティッシュの一部のみが外部に露出する構成とされていればよく、例えば、各ティッシュが交互に折り畳まれて一方向に積層状態とされたティッシュであってもよい。
なお、ティッシュ容器１は、ティッシュ箱、ティッシュボックス、ティッシュケースとも呼ばれる。
【００１０】
このティッシュ容器１は、ポリプロピレンやポリエチレン等の耐薬品性のある樹脂で形成され、図６に示すように、ティッシュを収納するための内部空間Ｓ１を有する容器本体（以下「ケース」という）１２と、このケース１２にヒンジ等の接続部材２２を介して接続された外蓋１８と、この外蓋１８より内側に配置された内蓋１４とを有している。
ケース１２は有底の容器であって、自立可能とされている。この自立した状態のケース１２は、水平方向（図のＸＹ方向）のいずれの寸法よりも縦方向（図のＺ方向）に大きい寸法を有する縦長とされ、横断面外形がいずれの高さで切断しても略相似形とされている。なお、ケース１２の縦方向の寸法については、図６及び図９に示すように、接続部材２２側の側面１２ａが最も低く、その側面１２ａから反対側の側面１２ｃに向うに従って除々に高くなっている。
【００１１】
図８に示すように、ケース１２の接続部材２２側の略半分の領域ＬＦにある側面は、親指と人差し指の指腹側でつくった略円弧状に対応して、横断面外形が略円弧状となっている。また、この領域ＬＦの側面は、底面１２ｂ側から外蓋１８側に向かって除々に横断面外形が大きくなるように形成されている（側面が傾斜している）。
一方、この領域ＬＦの反対側の領域ＲＦにある側面は、図７及び図９に示すように、領域ＬＦとの境目１２ｄ，１２ｄどうしを結ぶ仮想線ＣＬを底辺とした場合に、平面視が略二等辺三角形又はおにぎり状とされ、接続部材２２と反対側の側面１２ｃが略屈曲している。そして、領域ＲＦにある側面も、底面１２ｂ側から外蓋１８側に向って除々に横断面外形が大きくなるように形成されている（側面が傾斜している）。
このようにケース１２の側面は、一見してシンプルな外形を有しながらも、種々の寸法・角度等を有する横断面外形になっており、使用者は自分の手に合った部位を選ぶことで、使用者に適した状態でケース１２を把持することができる。
そして、ケース１２は、図６に示すように、上側に開口部１６を有し、この開口部１６からティッシュが入れられる。
【００１２】
内蓋１４は、ケース１２の開口部１６を覆うカバーであって、後述する取出し口部２０を除き、ポリプロピレンやポリエチレン等の耐薬品性がある材料から形成され、高い硬度を有している（少なくとも可撓性はない）。
この内蓋１４は、ケース１２に対して着脱可能に接続され、図６の一点鎖線で囲った内蓋周縁部付近の概略拡大図に示すように、ケース１２に接続した際、ケース１２の開口部１６付近の内面１２ｄに外周側面１４ａが当接するようになっている。図の場合、この外周側面１４ａ付近（即ち、内蓋１４の周縁部）は、ケース１２の内面１２ｄに設けられた相対的に上下の突起部１７ａ，１７ｂで挟持されるようになっている。なお、上側の突起部１７ｂは、突起部１７ａ側に向うに従って除々に高さを増すように傾斜面を有し、外周側面１４ａはこの傾斜面を乗り越えて突起部１７ａと突起部１７ｂとの間に嵌入される。
また、図８の一点鎖線で囲った接続部材２２付近の拡大図に示すように、内蓋１４の接続部材２２側の周縁部１４ｂは、ケース１２の上端面が切り欠き状とされた切り欠き部２４から露出しており、この露出した周縁部１４ｂには水平方向に突出した凸部３０が設け
られている。これに対して、切り欠き部２４には水平方向に凹部２４ａが形成され、この凸部３０と凹部２４ａとが嵌合するようになっている。
【００１３】
このような内蓋１４は、ティッシュを上から引き抜くことができるように、図６及び図９に示すように、取出し口部２０を有している。この取出し口部２０は、アルコール成分の揮発防止のため、内蓋１４の小さな領域に形成されている。
本実施形態の取出し口部２０は、内蓋１４の平坦面１４ｃから上側に向かって円筒状に突出した突出部３３の上部に対して着脱可能に接続されている。具体的には、高さ方向Ｚについて、内蓋１４は開口端面１２ｅよりも底面側に、水平となるように配置されて、内蓋１４の平坦面１４ｃとケース１２の開口端面１２ｅとの間には所定の距離ｈ１が生じるようになっており、この所定の距離ｈ１の範囲内に突出部３３が配置されている。そして、図１０に示すように、突出部３３の上部には、中央部に貫通孔３５ａを有するリング状部３５が形成されている。なお、突出部３３の円筒状部に囲まれた空間Ｓ２は、ケース１２の内部空間Ｓ１（図６参照）と空間的につながっている。一方、取出し口部２０はその厚み方向と直交する方向（図１０の左右方向）に凹状となる溝部２０ａが形成され、この溝部２０ａとリング状部３５とが嵌合している。このように、取出し口部２０は、突出部３３と嵌合するようになっており、この際、突出部３３との密着性を向上させて、内側のアルコール成分の揮発を防止するため、取出し口部２０は弾力のあるシリコーンから形成されている。
そして、取出し口部２０には、図９及び図１０に示すように、その厚み方向を切断したスリット３７が形成されており、このスリット３７をティッシュが通過して、ティッシュは引き出される。なお、スリット３７はその長手方向の両端が丸孔状とされており、取出し口部２０の裂けが防止されている。
【００１４】
外蓋１８は、主に取出し口部２０を封止して、収容されたウエットティッシュのアルコール成分の揮発を防止するもので、ポリプロピレンやポリエチレン等の耐薬品性がある材料から形成されて高い硬度を有し、可撓性がないように形成されている。
外蓋１８の裏面１８ｂには、蓋を閉じた際の取出し口部２０に対向した領域に、円筒体４４が一体的に形成されている。円筒体４４は、取出し口部２０の外形に対応した孔４０を有しており、この孔４０の内面に取出し口部２０を密着するように収めて、取出し口部２０を封止している。具体的には、取出し口部２０の周縁部には全周にわたって起立した壁部２０ｂが形成されており、この壁部２０ｂの外周側面に対して、円筒体４４の内面が摺動しながら蓋をするようになっている。なお、取出し口部２０は弾力のあるシリコーンから形成されて、円筒体４４を摺動し難いため、壁部２０ｂの外周側面に凹凸面を形成して、摩擦力の低減を図っている。
【００１５】
さらに、外蓋１８は、閉じられた際、図９に示すその周縁部１８ａがケース１２の開口端面１２ｅと当接し、これにより、上述した円筒体４４で取出し口部２０に蓋をする際、取出し口部２０を強く押し付け過ぎないようにしている。
このような外蓋１８は、図９に示すように、ケース１２に対して直接又は間接的に回動可能に接続されている。具体的には、ケース１２と着脱可能に接続された内蓋１４は、図８のように、切り欠き部２４から露出した周縁部１４ｂを有しており、この周縁部１４ｂに接続部材２２としてのヒンジが設けられ、このヒンジを利用して外蓋１８は回動可能とされている。このようにして、外蓋１８は、ケース１２に対して回動可能であり、さらに、上述のように可撓性を有していないため、取出し口部２０が小さくても、図１０に示すように、円筒体４４を取出し口部２０の壁部２０ｂまで導いて、確実に円筒体４４と壁部２０ｂとを摺動するようにして密着できる。また、外蓋１８は、内蓋１４を介してケース１２に接続されているため、内蓋１４を取り外せば、ケース１２から同時に取り外せる。
なお、図８に示すように、内蓋１４の周縁部１４ｂには上方に突出した突起１４ｃが設けられており、外蓋１８はこの突起１４ｃと係止して、図９に示すように起立した状態を
維持でき、また、この突起１４ｃを乗り越えて蓋をすることができる。
【００１６】
ここで、取出し口部２０は、図１０に示すように、内側（つまり図６に示す内部空間Ｓ１側）に向かって凸となって、スリット３７が配置された窪み部３９を有している。図の窪み部３９は、略ドーム状又は略半円球状に窪んで中央部３９ａが最も窪むようになっており、この最も窪んだ中央部３９ａ付近に、スリット３７が形成されている。なお、窪み部３９はリング状部３５の中央部の貫通孔３５ａの領域に略対応している。
この窪み部３９は取出し口部２０の一部であってシリコーンからなり、可撓性を有している。このため、使用開始時の状態を示す図１１（ａ）に示すように、内部空間Ｓにティッシュをセットした後（セットする際は、ロール状ティッシュの最初に引き抜こうとするティッシュを摘んで少し引き出しておく）、指ＦＧで窪み部３９を押すなどして、スリット３７の幅Ｗ１を広げて、最初の一枚目のティッシュの少し引き出しておいた部分ＴＳを摘み出すことができる。
【００１７】
そして、スリット３７は窪み部３９に形成されているため、図１１（ｂ）に示すように、ティッシュＴＳ１を引き抜こうとすると、窪み部３９は窪んだ側と反対側に変位し、スリット３７の互いに対向する端面３７ａ，３７ｂの下側ＫＢ（この下側ＫＢは角付けされている）が互いに接近して幅が狭くなり押し付け力が働く。さらに、窪み部３９は、ティッシュがスリット３７を通過する際に、弾性力を発揮するようになっており、ティッシュを引き抜く際、これを内側（図の下側）に引き戻そうとする力が発揮される。このように可撓性と弾性力のある窪み部３９を形成することで、ティッシュＴＳ１と次に続くティッシュＴＳ２との境界に形成された切れ目が、スリット３７の幅が狭くなることで生じる押し付け力と引き戻し力に耐えられなくなって切断され、ティッシュＴＳ２の一部だけが露出して残る。
【００１８】
この際、窪み部３９は、その可撓性により全体がめくれて、反対側に略ドーム状又は略半球状になってしまうと、スリット３７の幅が大きくなって、ティッシュＴＳ１と次に続くティッシュＴＳ２とを切断できなくなってしまう。そこで、窪み部３９は、ティッシュを引き抜く際、外側（図の上側）に向かって全体が凸とならないようになっている。この全体を凸にさせないための手段としては、窪み部３９の弾性力を全体的に強める手段もあるが、図１０では、周縁部３９ｂの弾性力を中央部３９ａの弾性力に比べて強くしており、具体的には、中央部３９ａ付近の厚みＤ２に比べて周縁部３９ｂの厚みＤ１を大きくし、さらに、周縁部３９ｂの厚みＤ１について、水平方向の外側に向うに従って除々に大きくしている。図の場合、Ｄ２は約２ｍｍであり、周縁部３９ｂのＤ１は約４ｍｍ（Ｄ１の約２倍）である。これにより、窪み部３９の外側へのめくれを防止しつつも、中央部３９ａの可撓性は担保して、図１１（ａ）のように窪み部３９を押した時に、スリット３７の幅Ｗ１を広がり易くしている。
【００１９】
本発明の実施形態は以上のように構成され、技術的に好ましい種々の限定が付されているが、上記実施形態において特に本発明を限定する旨の記載がない限り、本発明の範囲は上記実施形態に限られるものではない。
例えば、ケースは底面側に開口部を有し、この開口部を覆う蓋が底部となり、取出し口はケースの上面に配設されていてもよい。
また、図１２〜図２０に示す第一の変形例や、図２１〜図２９に示す第二の変形例のようなデザイン性に優れたティッシュ容器２，３にしてもよい。なお、この第一の変形例に係るティッシュ容器２の背面は図１２に示す正面と対称であり、第二の変形例に係るティッシュ容器３の背面は図２１に示す正面と対称である。
【符号の説明】
【００２０】
１，２，３・・・ティッシュ容器、１２・・・容器本体（ケース）、１４・・・内蓋、１
８・・・外蓋、２０・・・取出し口部、３７・・・スリット、３９・・・窪み部
【図１】
2013249114.tif 000003
【図２】
2013249114.tif 000004
【図３】
2013249114.tif 000005
【図４】
2013249114.tif 000006
【図５】
2013249114.tif 000007
【図６】
2013249114.tif 000008
【図７】
2013249114.tif 000009
【図８】
2013249114.tif 000010
【図９】
2013249114.tif 000011
【図１０】
2013249114.tif 000012
【図１１】
2013249114.tif 000013
【図１２】
2013249114.tif 000014
【図１３】
2013249114.tif 000015
【図１４】
2013249114.tif 000016
【図１５】
2013249114.tif 000017
【図１６】
2013249114.tif 000018
【図１７】
2013249114.tif 000019
【図１８】
2013249114.tif 000020
【図１９】
2013249114.tif 000021
【図２０】
2013249114.tif 000022
【図２１】
2013249114.tif 000023
【図２２】
2013249114.tif 000024
【図２３】
2013249114.tif 000025
【図２４】
2013249114.tif 000026
【図２５】
2013249114.tif 000027
【図２６】
2013249114.tif 000028
【図２７】
2013249114.tif 000029
【図２８】
2013249114.tif 000030
【図２９】
2013249114.tif 000031